(57)【要約】【課題】強化ガラスフィルムによって耐久性を向上させることを基本としながら、衝撃に脆弱な角部を削って外部衝撃への対応性及びグリップ感を向上させる、強化ガラスを用いた携帯用電子機器の保護フィルムを提供すること。【解決手段】本発明の強化ガラスを用いた携帯用電子機器の保護フィルムは、携帯用電子機器のディスプレイパネルが形成された表面のスピーカー、マイク、ボタン及びカメラのうちいずれか一つの対象に相応するサイズに貫設された通孔と、強化ガラスでできた強化ガラスフィルムと、前記強化ガラスフィルムの下に位置し、ＰＥＴからなるＰＥＴ層と、前記強化ガラスフィルムと前記ＰＥＴ層とを接着する接着層と、前記ＰＥＴ層を携帯用電子機器の表面に貼り付ける貼着層と、前記強化ガラスフィルムの縁部及び前記通孔の周縁に設けられた角部を削って処理した切削部とを含んでなる。【選択図】図２
2013242567.tif 000002
【特許請求の範囲】
【請求項１】
携帯用電子機器のボタン、スピーカー及びカメラ部位を露出させるように貫設された通孔を有する、携帯用電子機器の保護フィルムであって、
強化ガラスできた強化ガラスフィルムと、
前記強化ガラスフィルムの下に位置し、ＰＥＴからなるＰＥＴ層と、
前記強化ガラスフィルムと前記ＰＥＴ層とを接着する接着層と、
前記ＰＥＴ層を携帯用電子機器の表面に貼り付ける貼着層と、
前記強化ガラスフィルムの縁部及び前記通孔の周縁に設けられた角部を削って処理した切削部と、を含んでなり、
前記強化ガラスフィルム、前記ＰＥＴ層、前記接着層及び前記貼着層には、携帯用電子機器のディスプレイパネルが設けられた表面のスピーカー、マイク、ボタン及びカメラのうちいずれか一つの対象に相応するサイズに通孔が貫設されたことを特徴とする、強化ガラスを用いた携帯用電子機器の保護フィルム。
【請求項２】
前記強化ガラスフィルムの上には疎油性コーティング層がさらに形成されたことを特徴とする、請求項１に記載の強化ガラスを用いた携帯用電子機器の保護フィルム。
【請求項３】
前記切削部は、
前記強化ガラスフィルムの縁部及び前記通孔の周縁に設けられた角部を斜めに削った面取り部、並びに前記強化ガラスフィルムの縁部及び前記通孔の周縁に設けられた角部を削って丸めたラウンド部のいずれか一つから構成されたことを特徴とする、請求項１に記載の強化ガラスを用いた携帯用電子機器の保護フィルム。
【請求項４】
前記切削部は、
前記強化ガラスフィルムの上面及び側面における前記切削開始地点を削って丸め処理した丸め処理部と、前記丸め処理部を水平に削って処理した水平部とからなる複合切削部から構成されたことを特徴とする、請求項１に記載の強化ガラスを用いた携帯用電子機器の保護フィルム。
【請求項５】
前記切削部の表面には多数の突起が突設されたことを特徴とする、請求項１に記載の強化ガラスを用いた携帯用電子機器の保護フィルム。
【請求項６】
前記切削部の表面は、スクラッチ処理が施されることにより、前記強化ガラスフィルムの他の表面より摩擦係数が大きいように粗さが与えられたことを特徴とする、請求項１に記載の強化ガラスを用いた携帯用電子機器の保護フィルム。
【請求項７】
前記切削部の表面には反射防止コーティング層がさらに形成されたことを特徴とする、請求項１に記載の強化ガラスを用いた携帯用電子機器の保護フィルム。
【発明の詳細な説明】
【技術分野】
【０００１】
本発明は、強化ガラスを用いた携帯用電子機器の保護フィルムに係り、さらに詳しくは、携帯用電子機器のディスプレイパネルを保護するために強化ガラスを用いるものであって、強化ガラス層の角部を削って外部衝撃への抵抗強化性及びグリップ感を向上させる保護フィルムに関する。
【背景技術】
【０００２】
携帯用電子機器とは、使用者が袋や鞄などに携帯して自由に使用することが可能な電子機器のことをいう。現在広く用いられている携帯用電子機器としては、移動通信端末機（スマートフォンを含む）、動画像プレーヤー、ＭＰ３プレーヤー、ゲーム機などがある。このような携帯用電子機器は、動画像などの媒体／コンテンツを表示するためのディスプレイパネルを主に正面部位に備えている。
【０００３】
特に、ＬＣＤ、ＬＥＤ、ＯＬＥＤなどのディスプレイパネル技術の発達に伴い、十分な視野確保のためにディスプレイパネルが大きくなっている趨勢にあり、操作の便宜性のためにタッチスクリーンの形に製作されている。
【０００４】
ところが、このようなディスプレイパネルは、衝撃に脆弱であって携帯用電子機器の落下又は外部衝撃により壊れたり損傷したりする場合が多い。しかし、修理費用が高いうえ、タッチスクリーン機能が不能状態になる問題を伴うため、このようなディスプレイパネルの保護のために保護フィルムが広く用いられている。
【０００５】
保護フィルムは、ディスプレイパネルに密着して衝撃吸収及びスクラッチ防止などの機能を提供するもので、一般な薄膜の合成樹脂材フィルムから製作されている。しかし、最近、強化ガラスを用いた保護フィルムが登場し始めている。
【０００６】
携帯電話などを対象とした、強化ガラスを用いた保護フィルムとしては、特許文献１、特許文献２、特許文献３などの技術が紹介されている。
【０００７】
特許文献１には、強化ガラスフィルム、印刷層、該印刷層に貼り付けられた両面テープ層を含んでなる携帯用端末機のディスプレイ保護フィルムが開示されている。、前記強化ガラスフィルムの下面には接着層を媒介体として合成樹脂材透明フィルムを貼り付ける。しかし、前記接着層は、光透過率を向上させることができるように、前記強化ガラスフィルムとＰＥＴ(polyethylene terephthalate)フィルムが適用される前記合成樹脂材透明フィルムを熱加圧方式でラミネートするための、透明アクリル系接着剤及び透明ウレタン系接着剤のいずれか一つが適用される。そして、前記合成樹脂材透明フィルムの下面には前記印刷層が形成されるハードコーティング層が構成されたことを特徴とし、強化ガラスによる衝撃保護機能だけでなく、高い光透過率を確保することができるという利点があることを開示している。
【０００８】
強化ガラスは、内部で自体的な力のバランスを保っているので、いずれか一方が破損又は切断されたとき、小豆の粒の大きさに相当するサイズの破片に破壊される。そのため、特に垂直に作用する外部衝撃ではなく、側方から又は斜めに作用する外部衝撃が加えられる場合、保護フィルムの強化ガラスフィルムが付着対象の表面において一方に押し寄せられるか或いは壊れる蓋然性があるのはもとより、使用者がこれを把持したときに強化ガラスの硬い角部に異物感を感じるという問題を伴う。
【０００９】
上述した技術によれば、光透過率に優れることは認められるが、強化ガラスを用いたときに引き起こされる上述の問題点を解決する方案が未だ提示されていない。
【００１０】
したがって、強化ガラスを用いて、外部衝撃に優れる性質を基本的に提供するが、強化ガラスフィルムの角部を削って外部衝撃にフレキシブルに対処するうえ、より自然にグリップ感を向上させることができる、新規且つ進歩的な強化ガラスを用いた保護フィルムの開発が求められている。
【先行技術文献】
【特許文献】
【００１１】
【特許文献１】韓国特許登録第１０６９６４２号明細書
【特許文献２】韓国特許登録第６３０３０９号明細書
【特許文献３】韓国実用新案出願第２００６−００６９０９１号明細書
【発明の概要】
【発明が解決しようとする課題】
【００１２】
本発明は、上述した問題点を解決するためのもので、その目的は、強化ガラスフィルムの角部を面取り、フィレット、丸め処理方式で削ることで、外部衝撃から安全性を強化すると同時に自然なグリップ感を向上させる保護フィルムを提供することにある。
【００１３】
本発明の他の目的は、強化ガラスフィルムの角部を削って処理するとき、光の屈折が起こり或いは強化ガラスが凸レンズの役目をしてディスプレイパネルの表示対象が歪むのを防ぐための手段を提供することにある。
【００１４】
本発明の別の目的は、強化ガラスのフィルム上に疎油性コーティング層をさらに塗布して、異物が強化ガラスフィルムの表面に張り付くのを抑制することにある。
【００１５】
本発明のさらに別の目的は、切削部の形状を多様に処理してそれぞれの長所を極大化処理することにある。
【００１６】
本発明のさらに別の目的は、切削部の表面に歪み防止処理を施すことにより、光の屈折によるディスプレイパネルの表示対象の歪みを防止するようにすることにある。
【課題を解決するための手段】
【００１７】
上記目的を達成するために、本発明に係る強化ガラスを用いた携帯用電子機器の保護フィルムは、携帯用電子機器のディスプレイパネルが形成された表面のスピーカー、マイク、ボタン及びカメラのうちいずれか一つの対象に相応するサイズに貫設された通孔と、強化ガラスでできた強化ガラスフィルムと、前記強化ガラスフィルムの下に位置し、ＰＥＴからなるＰＥＴ層と、前記強化ガラスフィルムと前記ＰＥＴ層とを接着する接着層と、前記ＰＥＴ層を携帯用電子機器の表面に貼り付ける貼着層と、前記強化ガラスフィルムの縁部及び前記通孔の周縁に設けられた角部を削って処理した切削部とを含んでなることを特徴とする。
【００１８】
また、疎油性コーティング層がさらに形成されたことを特徴とする。
【００１９】
また、前記切削部は、前記強化ガラスフィルムの縁部及び前記通孔の周縁に設けられた角部を斜めに削った面取り部、並びに前記強化ガラスフィルムの縁部及び前記通孔の周縁に設けられた角部を削って丸めたラウンド部のいずれか一つから構成されたことを特徴とする。
【００２０】
また、前記切削部は、前記強化ガラスフィルムの上面及び側面における切削開始地点を削って丸め処理した丸め処理部と、前記丸め処理部を水平に削って処理した水平部とからなる複合切削部から構成されたことを特徴とする。
【００２１】
また、前記切削部の表面は、スクラッチ処理が施されることにより、前記強化ガラスフィルムの他の表面より摩擦係数が大きいように粗さが与えられたことを特徴とする。
【発明の効果】
【００２２】
本発明に係る強化ガラスを用いた携帯用電子機器の保護フィルムによれば、
１）強化ガラスフィルムによって耐久性を向上させることを基本としながら、衝撃に脆弱な角部を削って外部衝撃への対応性及びグリップ感を向上させ、
２）切削部が突出しないように多様な形状処理を施して細かい耐久性を増強させ、
３）切削部の表面に歪み防止処理を施すことにより、ディスプレイパネルに表示される対象が歪んで使用者の視野に入る問題を防止するうえ、
４）疎油性フィルムによって強化ガラスフィルム上への油分残留を防止することができる。
【図面の簡単な説明】
【００２３】
【図１】本発明に係る保護フィルムが携帯用電子機器の表面に貼り付けられる状態を示す斜視図である。
【図２】本発明に係る保護フィルムの積層構造を示す側断面図である。
【図３】本発明に係る強化ガラスフィルム上に疎油性コーティング層がさらに積層された状態を示す概念図である。
【図４】本発明に係る切削部の多様な実施例を示す例示図である。
【図５】本発明に係る切削部の表面に歪み防止部をさらに形成した状態を示す概念図である。
【発明を実施するための形態】
【００２４】
以下、添付図面を参照して本発明の好適な実施例を詳細に説明する。添付図面は縮尺によって示されておらず、各図面の同じ参照符号は同一の構成要素を示す。
【００２５】
本発明における携帯用電子機器は、移動通信端末機（スマートフォンを含む）や、動画像／ｍｐ３プレーヤー、ゲーム機などを意味し、本発明の保護フィルムが貼り付けられる対象は、携帯用電子機器のディスプレイパネルが設けられた面である。添付図面では携帯用電子機器の中でもスマートフォンを例として示した。
【００２６】
図１は本発明に係る保護フィルムが携帯用電子機器の表面に貼り付けられる状態を示す斜視図である。
【００２７】
本発明に係る保護フィルム１０は、携帯用電子機器１のディスプレイパネル２が設けられた面に貼り付けられるものである。現在、携帯用電子機器１のディスプレイパネル２が設けられた面を考察すると、ディスプレイパネル２だけでなく、操作ボタン、スピーカー、カメラ、マイクなどが同じ面に設けられている場合が多く、本発明の保護フィルム１０がそれらを塞ぐことを防止するために、製造社によってそれぞれ異なるスピーカー、ボタンなどのサイズに合わせて保護フィルム１０に通孔１１が貫設されている。
【００２８】
すなわち、携帯用電子機器１のディスプレイパネル２が設けられた面には、ディスプレイパネル２だけでなく、スピーカー、操作ボタン、マイク、カメラなども設けられている場合が多いため、それらの対象のサイズに対応して本発明に係る保護フィルム１０にも通孔１１が貫設されており、これにより強化ガラスフィルムの周縁部位はもとより、通孔１１の周縁部位にも角の立った角部が設けられ、このような角部を削って外部衝撃に対応する必要性がある。
【００２９】
図２は本発明に係る保護フィルムの積層構造を示す側断面図である。
【００３０】
図２から分かるように、本発明に係る保護フィルム１０は、透明なので、携帯用電子機器のディスプレイパネルに表示する対象を使用者によく見えるようにする基本的な機能と共に、衝撃緩和、スクラッチ保護などの作用を行う。
【００３１】
このような保護フィルム１０は、上から下に向って順に積層された強化ガラスフィルム２０、接着層３０、ＰＥＴ層４０及び貼着層５０から構成されており、特に強化ガラスフィルム２０の角部には切削部１００が形成されていることを主要な特徴とする。
【００３２】
本発明の強化ガラスフィルム２０は強化ガラスでできているものである。強化ガラスは、表面部を圧縮し、内部を引っ張って強化したガラスを意味するもので、通常のガラスに比べて曲げ強度は３〜５倍、耐衝撃性も３〜８倍強い特性を有する。
【００３３】
ところが、強化ガラスは、前述したように自体的な内部の力のバランスを持っているが、角部に衝撃が加えられる場合、単に角部が壊れるだけではなく、全体が破壊されるおそれがあるという問題点を抱えている。
【００３４】
したがって、本発明では、特に本発明の保護フィルム１０において上部及び殆どの部位を占める強化ガラスフィルム２０の角部を削って処理した切削部を提供することを核心の特徴とする。
【００３５】
図２から分かるように、切削部１００は、強化ガラスフィルム２０の縁部だけでなく、通孔１１の周縁部に位置した強化ガラスフィルム２０の角部に形成されるものであって、初期に直角状態の強化ガラスフィルム２０の角部を削って処理したものを意味する。
【００３６】
このような切削部１００は、角の方向に作用した外部衝撃、すなわち側面から又は傾斜方向に作用した力によって強化ガラスフィルム２０の角部が破損して強化ガラスフィルム２０全体の力のバランスが崩れてしまう問題を防止するうえ、直角状態の角部に使用者が異物感を感じる問題を緩和する特性を提供する。これについての多様な実施例は後述する。
【００３７】
本発明のＰＥＴ(polyethylene terephthalate)層４０は、強化ガラスフィルム２０の下部側において接着層３０と貼着層５０との間に位置した層であって、強化ガラスフィルム２０が携帯用電子機器１の表面に貼り付けられるときに気泡が発生する問題を防止すると同時に、携帯用電子機器１のディスプレイパネル２がタッチスクリーンからなる場合にタッチスクリーンがよく作動しない問題を防止する役割を果たす。
【００３８】
接着層３０は、強化ガラスフィルム２０とＰＥＴ層４０とを接着する機能を提供するが、必要に応じて、熱処理工程によって接着層３０を融解しながら強化ガラスフィルム２０とＰＥＴ層４０とを接着するようにすることも可能である。
【００３９】
貼着層５０は、ＰＥＴ層４０が本発明に係る保護フィルム１０の一構成として安定的に位置することができるようにすると同時に、本発明の保護フィルム１０が携帯用電子機器１のディスプレイパネル２上に貼り付けられる（脱着可能に取り付けられる）ようにする機能を提供するものである。このような貼着層５０は、多様な粘着剤を使用することが可能であるが、特に携帯用電子機器１のディスプレイパネル２の表面に損傷を与えず、円滑に貼り付けられるようにシリコン系の粘着剤からなることがより好ましい。
【００４０】
このような構成によって、本発明に係る保護フィルム１０は、強化ガラスによる耐衝撃性を強化させるうえ、側部から又は傾斜方向への作用力によっても強化ガラスフィルム２０が破損せず、使用者のグリップ感を向上させることが可能な特性を提供する。
【００４１】
図３は本発明に係る強化ガラスフィルム上に疎油性コーティング層(oleophobic coating layer)がさらに積層された状態を示す概念図である。
【００４２】
疎油性コーティング層６０は、疎油性組成物からなるコーティング物質を前記強化ガラスフィルム２０の上面にコートした層であって、タッチスクリーン操作のための使用者の頻繁なタッチにより強化ガラスフィルム２０の表面に異物が残る問題を防止する役割を果たす。
【００４３】
さらに、疎油性コーティング層６０は、切削部１００の表面にも形成されることにより、切削部１００の表面保護の役割を兼ねることができる。 疎油性コーティング層６０は切削部１００の終端まで形成されていることが好ましい。
【００４４】
このような疎油性コーティング層６０は公知の親水性界面活性剤の組成物を用いることができる。このような疎油性を有する疎油性コーティング層６０の具体的な組成は公知の組成に従うため、別途の説明は省略する。
【００４５】
図４は本発明に係る切削部の多様な実施例を示す例示図である。
【００４６】
切削部１００の第１実施例は、強化ガラスフィルムの角部を面取り(chamfer)処理した面取り部１１０から構成される。
【００４７】
図４（ｂ）から分かるように、面取り部１１０は、切削される角部を斜めに削って処理したものであって、切削工程の便宜性を図ることができるうえ、削る前の強化ガラスフィルム２０の直角状態の角部の角を減らすことにより、本発明で追及する切削部１００による外部衝撃への対応性及びグリップ感を向上させることができるという特性を与える。
【００４８】
切削部１００の第２実施例は、強化ガラスフィルム２０の角部を削って丸めたラウンド部１２０から構成される。
【００４９】
図４（ａ）から分かるように、このようなラウンド部１２０は、面取り部１１０とは異なり、いずれの微細角の発生もなく滑らかに強化ガラスフィルム２０の角部を処理することができるため、外部衝撃にもっと適切に対応しながら優れたグリップ感を提供することができるという特性を与える。
【００５０】
切削部１００の第３実施例は、前記面取り部１１０と前記ラウンド部１２０とを組み合わせた形態の複合切削部１３０から構成されるが、この複合切削部１３０は、強化ガラスフィルムの上面及び側面の切削開始地点を削って丸め処理した丸め処理部１３１と、丸め処理部１３１を水平に削って処理した水平部１３２とからなる。
【００５１】
図４（ｃ）から分かるように、このような複合切削部１３０は、切削開始縁部位を丸め処理した後、この２つの丸め処理部位を水平に削って連結するように形成したものを意味する。
【００５２】
このような複合切削部１３０によれば、面取り部１１０による角発生問題を無くすのはもとより、ラウンド部１２０により上方に膨らみ出した部位を最小化して、突出部位が外部衝撃に脆弱に晒される問題を防止する。さらに、ラウンド部１２０がまるで凸レンズのような機能を提供して使用者の視線がラウンド部に留まったときにディスプレイパネル２の表示対象が拡大して見える問題をできる限り防止するようにする特性を提供することができる。
【００５３】
言い換えれば、切削部１１０は、光の屈折によりディスプレイパネル２の表示対象が歪む或いは特に拡大して見える問題が残るおそれがあるため、このような問題を最小化することにより、ディスプレイパネル２に表示される対象自体を元の状態そのままに維持し或いはその歪みを最小化する特性を与えるのである。
【００５４】
図５は本発明に係る切削部の表面に歪み防止部をさらに形成した状態を示す概念図である。
【００５５】
前述したように、強化ガラスフィルム２０の角部を切削処理した切削部１００が形成されると、たとえその部位が全体部位に比べて小さいとしても、光の屈折によりディスプレイパネル２の表示対象が歪んで表現される問題を伴うおそれがある。
【００５６】
勿論、上述した複合切削部１３０によってこのような問題を最小化することもできるが、これらの問題をより根本的に解決するために、切削部１００の表面を介して光が透過しないように処理し、或いは粗さを与えて光の流れを遮断する歪み防止部１５０をさらに形成するようにする。
【００５７】
本発明の歪み防止部１５０は、切削部１００の表面を介して光が強化ガラスフィルム２０内に透過することによる光の屈折又は歪み現象を防止するためのものである。最も容易な例としては、切削部１００の表面を黒く処理して光が吸収されるようにすることであるが、この場合、強化ガラスフィルム２０の外観が不自然に或いはぎこちなくなる問題がある。そのため、より自然に切削部１００の表面を歪み防止部１５０によって処理するようにすることが好ましい。
【００５８】
歪み防止部１５０の第１実施例は、多数の微細なサイズの突起１５１を切削部１００の表面に形成したものである。
【００５９】
図５（ａ）から分かるように、このような歪み防止部１５０の第１実施例によれば、光の乱反射を誘導するが、膨出した突起１５１が多数重畳し或いは連続配列されて光が外部へ反射されるようにして、切削部１００によって、ディスプレイパネル２の表示画面が歪んで使用者の目に入ることを防止するようにする。
【００６０】
歪み防止部１５０の第２実施例は、切削部１００の表面をスクラッチ処理して強化ガラスフィルム２０の他の表面より摩擦係数が大きいように粗さを与えたものである。
【００６１】
図５（ｂ）から分かるように、このような実施例によれば、切削部１００の表面が粗くなって外観的に大きく差が付かないながらも不透明状態になり、切削部１００の表面を介して光が屈折し、ディスプレイパネル２の表示画面が歪んで見える問題を防止することができる。
【００６２】
歪み防止部１５０の第３実施例は、前記切削部１００の表面に反射防止コーティング層１５３をさらに積層形成したものである。
【００６３】
反射防止コーティング(anti-reflective coating)は、主にレンズや眼鏡などの光学分野、ハードウェアのディスプレイ装置などで利用されるものである。勿論、反射防止のための最も良い例としては、反射を防止し且つ光を吸収するために、前述したように切削部１００の表面を黒(black)に処理する方案を提示することができる。しかし、この場合、切削部１００の表面のみ黒くなって美観上良くないため、このような方法よりは反射防止コーティング層１５３を新たに積層形成（コート）して、切削部１００の表面を介してディスプレイパネル２の表示対象が歪んで表現されることを防止することがより好ましい。これを図５（ｃ）に示した。
【００６４】
反射防止コーティング層１５３を構成する物質としては、金属や高分子合成樹脂材などの物質を用いるなど、多様な材質が知られている。よって、本発明に係る反射防止コーティング層１５３は、このような公知の材質を用いるため、物性又は組成に関する説明は省略する。
【００６５】
このような反射防止コーティング層１５３は、切削部の表面を塗布するが、角または段差が発生しないようにするため、切削部１００の表面の終端に達するほど厚さが薄くなるように形成することが好ましい。
【００６６】
上述したように、本発明に係る強化ガラスを用いた携帯用電子機器の保護フィルムの構成及び作用を前記説明及び図面に示したが、これらは例示したものに過ぎない。よって、本発明の思想は前記説明及び図面に限定されず、本発明の技術的思想を逸脱することなく多様な変化及び変更を加え得るのは勿論である。
【符号の説明】
【００６７】
１    携帯用電子機器
２    ディスプレイパネル
１０    保護フィルム
１１    通孔
２０    強化ガラスフィルム
３０    接着層
４０    ＰＥＴ層
５０    貼着層
６０    疎油性コーティング層
１００    切削部
１１０    面取り部
１２０    ラウンド部
１３０    複合切削部
１３１    丸め処理部
１３２    水平部
１５０    歪み防止部
１５１    突起
１５２    スクラッチ
１５３    反射防止コーティング層
【図１】
2013242567.tif 000003
【図２】
2013242567.tif 000004
【図３】
2013242567.tif 000005
【図４】
2013242567.tif 000006
【図５】
2013242567.tif 000007
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
携帯用電子機器のボタン、スピーカー及びカメラ部位を露出させるように貫設された通孔を有する、携帯用電子機器の保護フィルムであって、
強化ガラスできた強化ガラスフィルムと、
前記強化ガラスフィルムの下に位置し、ＰＥＴからなるＰＥＴ層と、
前記強化ガラスフィルムと前記ＰＥＴ層とを接着する接着層と、
前記ＰＥＴ層を携帯用電子機器の表面に貼り付ける貼着層と、
前記強化ガラスフィルムの縁部及び前記通孔の周縁に設けられた角部を削って処理した切削部と、を含んでなり、
前記強化ガラスフィルム、前記ＰＥＴ層、前記接着層及び前記貼着層には、携帯用電子機器のディスプレイパネルが設けられた表面のスピーカー、マイク、ボタン及びカメラのうちいずれか一つの対象に相応するサイズに通孔が貫設されたことを特徴とする、強化ガラスを用いた携帯用電子機器の保護フィルム。
【請求項２】
前記強化ガラスフィルムの上には疎油性コーティング層がさらに形成されたことを特徴とする、請求項１に記載の強化ガラスを用いた携帯用電子機器の保護フィルム。
【請求項３】
前記切削部は、
前記強化ガラスフィルムの縁部及び前記通孔の周縁に設けられた角部を斜めに削った面取り部、並びに前記強化ガラスフィルムの縁部及び前記通孔の周縁に設けられた角部を上に凸状となるように丸めて削ったラウンド部のいずれか一つから構成されたことを特徴とする、請求項１に記載の強化ガラスを用いた携帯用電子機器の保護フィルム。
【請求項４】
前記切削部は、
前記強化ガラスフィルムの上面及び側面における前記切削開始地点を上に凸状となるように丸め処理した丸め処理部と、前記丸め処理部を水平に削って処理した水平部とからなる複合切削部から構成されたことを特徴とする、請求項１に記載の強化ガラスを用いた携帯用電子機器の保護フィルム。
【請求項５】
前記切削部の表面には多数の突起が突設されたことを特徴とする、請求項１に記載の強化ガラスを用いた携帯用電子機器の保護フィルム。
【請求項６】
前記切削部の表面は、スクラッチ処理が施されることにより、前記強化ガラスフィルムの他の表面より摩擦係数が大きいように粗さが与えられたことを特徴とする、請求項１に記載の強化ガラスを用いた携帯用電子機器の保護フィルム。
【請求項７】
前記切削部の表面には反射防止コーティング層がさらに形成されたことを特徴とする、請求項１に記載の強化ガラスを用いた携帯用電子機器の保護フィルム。